(57)【要約】　　　（修正有）【課題】ヘッドを硬質ゴムで作り、ここに登場する柔軟層を設置した球との間で、良くこすれ合う様にし、最終的には卓球の様な、カット打ちを目指す。【解決手段】ルールでは、球の重量、直径、対称性、回転性、飛行性、均一性等、様々な製作上の規定があるが、ルール内で、良くこすれ合う、カット打ち用の球を作ると言うこと・・・。具体的には、コアー９とカバー１０よりなる球のカバーの部分を、下層と上層に作り分け、この上層を柔軟なゴムで作り、先に出願した硬質ゴム製のパターのヘッドとこすれ合う様にし、カット打ちなる言葉がパット界に登場し、且つ、定着する事を願う、というものである。【選択図】　図１
2004113758.tif 000002
【特許請求の範囲】
【請求項１】
デコボコ穴のない、純円球という形態で、カバーを二層式とし、その上層の柔軟層の厚さを、１ミクロンから１ミリの間とするゴルフの球。
【請求項２】
従来の球の形状やコアーはそのままとし、カバーの上層を柔軟層として、そのデコボコを含む上層の厚さを１ミクロンから１ミリの間とするゴルフの球。
【請求項３】
上層とか下層とかの区別のない状態で、カバーの厚さを１ミクロンから１ミリの柔軟層のカバーとして作るゴルフの球。
【発明の詳細な説明】
【０００１】
【産業上の利用分野】
これは平成１４年９月１３日付で出願した、硬質ゴム等で作るゴルフのクラブの関連出願である。
原出願とは、パターのヘッドを硬質ゴム等で作り、球と良くこすれ合う様にし、コントロールの効いた打球が出来る様にする、というものであった。
ここに登場するのは、球の側に、更に良くこすれるアイデアを施し、相乗効果で尚一層、カット打ちの成果が上がる様にする、というものである。
【０００２】
【従来の技術】
競技が終了する迄球を変える事は出来ないと、ルールで決って居るが、仮りに、球は何時でも自由に変えられる、というルールであったとすると、当然、フェアウェイ用と、パット用の二種類の球が作られ、今使われて居る道理である。
現行の球のあの硬さ、あの味気なさは、どう考えても３０ｍを限度とするパットには向いて居ない。パットは難かしい意外性が強い、と良く言われて居るが、この難かしさの原因の一つは、コントロールの効かないあの球の構造、あの球の硬さにある。コントロールの効く効かないは、球の表面の硬さに正比例する。
パット向きの柔軟な球が生れなかった理由はルールの規定にある。そしてこのルールは動かせないものと決って居る事を思うと、ルール内で何とか手段を見つけ、少しでもましな、パット向きの球を工夫するより外に手はないと分って来る。つまり、専用球が駄目なら、兼用球で行くという開き直りである。
【０００３】
【発明が解決しようとする課題】
２００ｍのショットも一打、１ｃｍのパットも一打・・・。強い人程パットの練習に時間をかけるという・・・。パットは勝負の中枢、パットを制する者が競技を制す・・・。この論理で行くと、球にパット向きのアイデアを折り込もうとするこれは、当然の自然の流れ、という事になる。
球をパット向きに変えると言っても、これはなかなかの難題。何かヒントを見つけるとか、動機がないと、これに着手する事は普通はない。
原出願の、ヘッドを硬質ゴムで作るというのは、球と少しでも多くこすれる状況をフェースに作りたいという一念の終着駅であった。原出願では、パットの大改革を目指し、球の位置を左辺２０ｃｍにしたり、左辺の球を打てる様にヘッドの厚さを１ｃｍにしたり、ソールを鋭角にしたり、これ迄肩軸で打って居たパットをヒザ軸で打つ様にしたり、シャフトも７ｃｍ程短かくして、身体に近づけて立てて使う様にしたり、バックを１ｃｍにしたり、目線はカップインラインと決めて、球をめくら打ちしたり等々、画期的な要素に満ち満ちて居たが、この時点では、球えのアイデアは見つけて居ず、したがって、カット打ちという言葉は登場して居るが、それは、中途半端に位置するものであった。
球側に何かアイデアを施さない限り、カットらしいカットは出来ない。球の改革、成るか成らぬか、これが残された只一つの課題である。
【０００４】
【課題を解決する為の手段】
図１のＡは、一部切開、本発明純円球、図２のＣは、従来の球の正面図である。ＡとＣの違いは、表面のデコボコ穴の有無と１０のカバーが二層、という事だけである。Ｃの左半球は、従来の球の正面図の右半球は、説明の都合上、穴を６角形にした、同じく正面図である。
Ｄは、ジャストミートのアップ図、４はフェース、５は接点、６は球の直進方向、図３は、Ｄを更にアップにした、６角形の一辺のアップ図である。
つまり、フェースは、５、又は、５’のフラットな部分に様々な角度で当るわけで、８、８’のくぼみ穴に当る事はない。注目は、７、７’のコーナーに当った時球がどう動くかである。動きの違いはごく僅かであるが、５、５’に当った時と、同じでない事を自力で突き止めれない限り、今言って居る事は理解出来ない関係にある。多分、５、と７では、１０ｍ先で５ｃｍぐらい右にブレる。
【０００５】
【作用】
図１のＢは、純円球に対する、フェースの当り方解明図である。純円球では、１、２、３等四方八方、どの位置にどう球が当っても、その接触反応は一定不変である。ところが、デコボコ球では、一定不変であるという事の論証が、物理学上又、数学上出来ない。出来ないという事は、純円球の方がパットに向いて居る、という事である。
他方、長打、強打の場合はどうか？？？。強打では自然法則的に、打球の瞬間に大きく球がへこみ込む。このへこみの復元力で球が遠くに飛んで行く、という論理であるが、強打では、球の表面のデコボコ穴は特に関係がない事になる。理由は３０とか４０個とかのくぼみ穴を同時にたたくからである。
純円球の強打でも、デコボコ球と略同様なへこみ具合となり、強打力の前では純円球もデコボコ球も同じで、打力に比例して飛ばされるものだと分ってくる。球のデコボコは、クラブの溝とセットになって居、スピンをかける為の工夫がデコボコであるが、パットという局面ではこのデコボコは有害無益、６角形の一辺一辺にある各コーナは悉く、球の直進を乱す元凶となる。
【０００６】
【実施例】
ルールでは、球の総重量は４５．９３８以下、直径は４２．６７ミリ以上、球の対称性、飛行性、回転軸性、均一性、等々いろいろと決められて居るが、何れにしても、かかる純円球はルールをクリアー出来る、という事の様である。
図１の９は、コアー、１０はカバーであるがこの１０のカバーを上層と下層に作り分け、上層部分にアイデアを施す、というのがそもそもの狙いである。広告等に良く、飛距離何々ｍという表現が出て居るが、良く飛ぶという事は大切なポイント。純円球とデコボコ球とでは、どちらが良く飛ぶか？？この答えは空気抵抗の少ない方が飛ぶ、ということ、この一点だけを見ると純円球の方が上である。又、スピンと言う面では、純円球の方が初動スピンは劣るが、回転抵抗は少ないから、結果として、優劣に大差はないものと思われる。
この発明が目指すのは、球の諸々の規定をクリアーする中で、良くこすれる球を作るという事であり、純円球とかは、枝葉に係るものである。良くこすれるとは、表層なり表面を柔軟なゴムで作るという事。極論的に言うと、１ミクロンの柔軟度の高いゴムで、上層を作るという事である。
既製の球のカバーの厚さは約２ミリである。この既製のカバーの硬質度を、仮りに１００とする。既製のカバーは一様な硬質度で作られて居るが、ここでは、これを下層と上層に作り分ける。そして、下層を例えば、硬質度１００で作り、上層を５０度で作る。作り方、硬、軟の比率は適切とするが、何れにしてもこの改造球は、飛行性、軸性等の諸検査をパス出来る筈である。一連の検査には許容値というものがあり、４％迄は規格品とされる。さして難かしい検査ではない。
硬質度とか、柔軟度というのは、自由自在に操作出来るものであり、したがって、今の段階ではこれこれと決める必要はない。要するに、製作に入る時に、厚さや耐久性や、硬、軟度、摩擦性とかを、多角的に考慮し、実験し、かかるデーターに基づいて生産行程に移行、という事である。上層の厚さは、１ミクロンから１ミリの間である。
以上、色々と展開して来たが、適切な厚さ適格な柔軟さで上層を作ったとして市販され、使用されたとしても、この新球が評価を得る事は先ずない。フェースと或程度こすれ合い、スピンが従来の球より多少良くかかるが、市販の球と大差はない。つまり、従来の打法、従来の用具、従来の常識で打つのでは、球の特性は発揮出来ないと決って居るわけである。
ところが・・・？この改造球と、新打法と、カット打ちという秘密の兵器が、揃い踏みし、からみ合うと、ここに初めて、期せずして人気が爆発する、と言う調子のものである。
ここで新打法について再び、説明をし直して見る。でないと、上層を柔軟化したイメージが鮮烈にならない。
新打法では先ず、パターのヘッドを１ｃｍの板状とする。球の位置は、左足前の左２０ｃｍ。この球の下辺にヘッドをもぐり込ませる様にしてアドレス。この後、１ｃｍだけバックスイングをとり、カップインラインに集中して、球をめくら打ちする。シャフトを短かくして、身体に近づけ、シャフトを立てて使う。肩軸を止めて、ヒザ軸で打つ・・・。ヒザ軸フォームは一連の発想の基本中の基本である。この打ち方で、３０ｍぐらい転がって行く。
以上が新打法のデッサンであるが、日進月歩は宇宙の原理・・・。球を左に見て打つ従来の打法は、進化の過程にある欠陥打法である事が、だんだん分って来た。そして結局、アメリカのサム・スニードというパットの名手が創作した前向きのサイド・サドルが、俄かに意表を衝く事態となって来た。つまり、ヒザ軸打法とサイド・サドルが合流・・・というわけである。
生れ変った、新装のサイド・サドルは、一般に知られて居るサイド・サドルの面影は一向にない。新しいサイド・サドルの打ち方の基本は、既に展開の、左向き打ちの打ち方とウリ二つである。新サイド・サドルは、異例のペースで球がピンに絡まり、又カップインする。将来的には、新サイド・サドルの時代が来るものと思われる。ショート以外は、カット打ちで行く・・・。
ここに登場の柔軟球の出生は、打法の革命、パターのヘッドの硬質ゴム化、カット打ちのデビュー等とセットになって居、これ等を綜合的に頭脳的に使いこなした時、はじめて、柔軟球の出生効果が鮮明に確認出来る事になる。
又、カバーの上層を柔軟化する、というのは、純円球に限定、という事ではなく、図２のＣの、従来のデコボコ球についても同じである。つまり、カバーの下層上層を作り上げた姿が、デコボコ球、というわけである。
既に明記のカット打ち、という次元からは、柔軟層装着のデコボコ球が非常に面白い事になる。図２の矢印６に示す直進方向は、カット打ちでは成り立たず、カット打ちでは、オール曲線となる。カット打ちには、ジャストミートという打ち方はない。上手も下手もなく一様にジャストミート接触である。ジャスト接触の後の極く短かい時間帯に、打者の意志が球に伝わって行く。カット打ちでは、球とフェースの接触時間が、従来の打球の接触時間より、理論上、少し長い。長いという事が、思いが球に伝わり易いという論拠である。
真直に打とう、と思う心がコチコチの緊張を引起すのである。真直ではないカーブ、という事であれは、緊張は自然にほぐれる。自ら結果はついて来る。カット打ち出生の面白さとは、他人からの情報と新用具で労せずして緊張をボイコット出来る、という事である。このカット打ちがルールの上で問題になる事はない。
【０００７】
【発明の効果】
カバーの上層を柔軟層として、コントロールの効き易いカット打ちが出来る様にする、という説得力のあるこのアイデアは、とりわけ、一打の重みを痛感して居るプロにとって、見逃す事の出来ない情報であると思われる。
相手に先んじてこの秘球、秘打法、秘用具を使われては、この勝負、勝負以前に先ず、決着、と思われる。一日の違いで勝負が別れる、画期性あるを以って、案出生の効果とする。
【図面の簡単な説明】
図１は、デコホコのない純円球。
図２は、従来の市販球。
図３は、くぼみ穴一辺のアップ図。
【符号の説明】
１，２，３は、フェースの当る位置。
４は、フェース。
５は、ジャストミート。５’も同じ。
６は、ジャストミートの進行方向。
７は、コーナーに当った時の状況、７’も同じ。
８は、くぼみ穴、８’も同じくくぼみ穴。
９は、コアー。
１０は、カバー。
【図１】
2004113758.tif 000003
【図２】
2004113758.tif 000004
【図３】
2004113758.tif 000005